(57)【特許請求の範囲】
【請求項１】
原稿の主走査方向に沿って複数個設けられ、原稿に光を照射する発光素子および前記発光素子を駆動する回路基板を備えた光照射手段と、前記光照射手段が取付けられた支持手段と、前記支持手段が取付けられ、原稿の副走査方向に走行する走行手段とを備えた画像読取装置において、
前記光照射手段および前記支持手段に対して副走査方向に対向するように前記走行手段に取付けられ、前記走行手段の走行時に前記光照射手段に空気を導くガイド部材を備え、
前記回路基板は、前記発光素子の取付け面の一部に切欠き部が形成され、前記切欠き部上に前記発光素子の一部が位置することを特徴とする画像読取装置。
【請求項２】
記録媒体に画像を形成する画像形成手段を有するとともに、請求項１に記載の画像読取装置を備えたことを特徴とする画像形成装置。
【発明の詳細な説明】
【技術分野】
【０００１】
本発明は、画像読取装置および画像読取装置に関し、例えば、原稿を読取るために原稿に光を照射する発光素子を備えたスキャナ装置等の画像読取装置およびこの画像読取装置を備えたファクシミリ装置、複写機、複合機等の画像形成装置に関する。
【背景技術】
【０００２】
一般に、ファクシミリ装置、複写機、複合機等の画像読取装置にあっては、光源から原稿に光を照射し、原稿からの反射光を複数のミラーで折り返してＣＣＤイメージセンサ等の撮像素子に入射するようにしている。
【０００３】
図２１、図２２は、従来の画像読取装置の構成図である。図２１、図２２において、円筒形状のキセノンランプ１１１からコンタクトガラス１１７に載置された原稿に照射される光は、第１ミラー１１２ａに反射された後、第２ミラー１１２ｂ、第３ミラー１１２ｃの順に折り返されるようになっている。
【０００４】
第３ミラー１１２ｃによって折り返された反射光束は結像レンズ１１３によってＣＣＤイメージセンサ等の撮像素子１１４に結像され、撮像素子１１４によって光電変換される。
【０００５】
また、キセノンランプ１１１および第１ミラー１１２ａは第１キャリッジ１１５に搭載されているとともに、第２ミラー１１２ｂおよび第３ミラー１１２ｃは第２キャリッジ１１６に搭載されており、コンタクトガラス１１７の下方で原稿を読取るときに、第１キャリッジ１１５および第２キャリッジ１１６が副走査方向に走行し、キセノンランプ１１１によって原稿の主走査を行うことにより、原稿面全体の読取りが行われる。
【０００６】
このような画像読取装置にあっては、光源の立ち上がりのスピード、省エネルギー化、長寿命化等の要望があり、近時では、キセノンランプに代えて発光ダイオード等の発光素子をアレイ状に配列した光源を採用する傾向になっている。
【０００７】
また、生産性（複写枚数等）の向上を図るためには、発光ダイオードの照度を高くする必要があり、発光ダイオードの照度を高くするためには、発光ダイオードに大きな電流を流したり、発光ダイオードの集積密度を高くするといった対応が必要となる。
【０００８】
一方、このように発光ダイオードの照度を高くすると、発光ダイオードが発熱してしまうため、耐故障として放熱対策を行うことが必須になるとともに、発熱による発光素子の照度の低下や色度の変化を抑制する必要があるため、発光ダイオードを効率良く放熱して冷却するための工夫がなされている。
【０００９】
従来の光源の放熱方法としては、発光素子アレイが配列された放熱基板と、発光素子アレイにおける多数の配列素子の配列方向と略平行に位置決めされて放熱基板内部に埋め込まれたヒートパイプと、このヒートパイプの少なくとも一方の端部に配列された放熱フィンとよりなる発光素子アレイの冷却装置がある（例えば、特許文献１参照）。
また、ＬＥＤ照明を収納するハウジング近傍部に、ハウジング外形より内側に凹部を設けることにより、放熱フィンの役割を持たせ、ＬＥＤ照明光源の発光に伴って発生する熱によるユニットの温度上昇を抑制するものがある（例えば、特許文献２参照）。
【特許文献１】実開平４−１３５３４９公報
【特許文献２】特許第３３３６０６９号公報
【発明の開示】
【発明が解決しようとする課題】
【００１０】
しかしながら、特許文献１に示す光源の放熱方法にあっては、ヒートパイプや放熱フィンを設ける必要があるため、発光素子アレイを原稿の副走査方向に走行させる走行体等にヒートパイプや放熱フィンを搭載する場合には、スペースの点で困難であるとともに、走行体の重量が増大して走行時の負荷が大きくなってしまうという問題がある。さらに、部品点数が増加してしまうため、画像読取装置の製造コストが増大してしまう。
【００１１】
また、特許文献２に示すものは、ハウジングに凹部を設けるだけのものであって、放熱のための表面積を増やした程度のものとなり、大きな放熱効果を期待することはできない。
【００１２】
本発明は、従来の問題を解決するためになされたもので、簡単な構成で発光素子を効率良く放熱して、製造コストや重量が増大するのを防止しつつ発光素子の温度上昇を抑制することができ、高精度な読取りを行うことができる画像読取装置および画像形成装置を提供することを目的とする。
【課題を解決するための手段】
【００１３】
本発明の画像読取装置は、原稿の主走査方向に沿って複数個設けられ、原稿に光を照射する発光素子および前記発光素子を駆動する回路基板を備えた光照射手段と、前記光照射手段が取付けられた支持手段と、前記支持手段が取付けられ、原稿の副走査方向に走行する走行手段とを備え、前記走行手段に、前記発光素子から原稿に照射され、原稿から反射された光を撮像素子側に向かって折り返すように所定角度傾斜するミラー部材が取付けられた画像読取装置において、前記走行手段の走行時に前記光照射手段に空気を導くガイド部材を備え、前記ミラー部材の副走査方向の上端部を、前記発光素子に対して、前記走行手段を読取側に走行する方向に設けることにより、前記ミラー部材が前記ガイド部材を構成し、前記光照射手段および前記支持手段に対して副走査方向に対向するように、前記走行手段に取付けられた補助ガイド部材を備えたものから構成されている。
【００１４】
この構成により、走行手段の走行時に、ミラー部材を利用して光照射手段に空気を導くようにしたので、光照射手段を効率良く放熱することができる。このため、画像読取装置の製造コストや重量が増大するのを防止しつつ発光素子の温度が上昇するのを抑制することができる。
また、ミラー部材の副走査方向の上端部を、発光素子に対して、走行手段を読取側に走行する方向に設けたので、走行手段の走行時の風損を無くすことができ、空気を光照射手段に効率良く導くことができる。
【００１５】
また、発光素子の温度が上昇するのを抑制することができるので、発光素子の発熱による照度の低下や色度の変化を抑制することができ、画像の読取性能を向上させることができる。
さらに、光照射手段および支持手段と補助ガイド部材によってミラー部材から発光素子や支持手段に導かれる空気の通路を形成することができ、ミラー部材から発光素子や支持手段に空気を効率良く導くことができる。
【００１６】
また、本発明の画像読取装置は、前記補助ガイド部材がリフレクタから構成されている。
この構成により、発光素子からの照射光がリフレクタによって原稿面に反射されるので、切り貼り原稿を読み取った際に、原稿の段差によって発生する影を無くすことができる。
【００１７】
また、本発明の画像読取装置は、原稿の主走査方向に沿って複数個設けられ、原稿に光を照射する発光素子および前記発光素子を駆動する回路基板を備えた光照射手段と、前記光照射手段が取付けられた支持手段と、前記支持手段が取付けられ、原稿の副走査方向に走行する走行手段とを備え、前記走行手段に、前記発光素子から原稿に照射され、原稿から反射された光を撮像素子側に向かって折り返すように所定角度傾斜するミラー部材が取付けられた画像読取装置において、前記走行手段の走行時に前記光照射手段に空気を導くガイド部材を備え、前記ガイド部材を、前記走行手段から前記ミラー部材の傾斜方向上端部に延出する延出部から構成している。
この構成により、走行手段の走行時に、ミラー部材を利用して光照射手段に空気を導くようにしたので、光照射手段を効率良く放熱することができる。このため、画像読取装置の製造コストや重量が増大するのをより一層防止しつつ発光素子の温度が上昇するのを抑制することができる。
また、ガイド部材を、走行手段からミラー部材の傾斜方向上端部に延出する延出部から構成したので、走行手段の走行時の風損を無くすことができ、空気を光照射手段に効率良く導くことができる。
【００１８】
また、本発明の画像読取装置は、原稿の主走査方向に沿って複数個設けられ、原稿に光を照射する発光素子および前記発光素子を駆動する回路基板を備えた光照射手段と、前記光照射手段が取付けられた支持手段と、前記支持手段が取付けられ、原稿の副走査方向に走行する走行手段とを備えた画像読取装置において、前記光照射手段および前記支持手段に対して副走査方向に対向するように前記走行手段に取付けられ、前記走行手段の走行時に前記光照射手段に空気を導くガイド部材を備え、前記回路基板は、前記発光素子の取付け面の一部に切欠き部が形成され、前記切欠き部上に前記発光素子の一部が位置するものから構成されている。
【００１９】
この構成により、走行手段の走行時に光照射手段に空気を導くガイド部材を設けたので、光照射手段を効率良く放熱することができる。このため、画像読取装置の製造コストや重量が増大するのを防止しつつ発光素子の温度が上昇するのを抑制することができる。
また、ガイド部材から光照射手段に導かれた空気を、発光素子の取付け面の一部に形成された切欠き部を通して発光素子に導くことができるので、発光素子を効率良く冷却することができ、発光素子の温度が上昇するのをより一層抑制することができる。
【００４３】
また、本発明の画像形成装置は、記録媒体に画像を形成する画像形成手段を有するとともに、上述した画像読取装置を備えたものから構成されている。
【００４４】
この構成により、走行手段の走行時に光照射手段に空気を導くガイド部材を設けたので、光照射手段を効率良く放熱することができる。このため、画像読取装置の製造コストや重量が増大するのを防止しつつ発光素子の温度が上昇するのを抑制することができる。
【００４５】
したがって、発光素子の温度が上昇するのを抑制することができるので、発光素子の発熱による照度の低下や色度の変化を抑制することができ、画像の読取性能を向上させることができる画像形成装置を提供することができる。
【００４６】
また、光照射手段から支持手段に伝達される熱の分布を均一にして、複数の発光素子の放熱量を均一にし、照度のムラのない高精度な読取りを行うことができる画像形成装置を提供することができる。
【発明の効果】
【００４７】
本発明は、簡単な構成で発光素子を効率良く放熱して、製造コストや重量が増大するのを防止しつつ発光素子の温度上昇を抑制することができ、高精度な読取りを行うことができる画像読取装置および画像形成装置を提供することができる。
【発明を実施するための最良の形態】
【００４８】
以下、本発明の実施の形態について、図面を用いて説明する。
図１〜図６は本発明に係る画像読取装置および画像読取装置を備えた画像形成装置の第１の実施の形態を示す図であり、画像形成装置を複写機に適用した例を示している。なお、画像形成装置としては、複写機に限らず、ファクシミリ装置、複写機能とファクシミリ機能を備えた複合機等の画像形成装置に適用することができる。
【００４９】
まず、構成を説明する。図１において、複写機１０は、自動原稿搬送装置（以下、単にＡＤＦという）１１、給紙部１２、画像読取部（画像読取装置）１３および画像形成部（画像形成手段）１４を備えている。
【００５０】
ＡＤＦ１１は、原稿トレイ１６に載置された原稿を給紙ローラや分離ローラ等の各種ローラからなる分離給紙手段１７によってコンタクトガラス１５上に搬送し、読取りが終了した原稿を搬送ベルト１８によってコンタクトガラス１５上から搬出した後、各種排紙ローラからなる排紙手段１９によって排紙トレイ２０に排紙する。
【００５１】
また、原稿の両面を読取る場合には、排紙手段１９に設けられた分岐機構および搬送ベルト１８によって原稿をコンタクトガラス１５上に返送して未読取面の読取りを行うようになっている。
【００５２】
給紙部１２は、異なるサイズの記録紙を収納する給紙カセット２１ａ、２１ｂと、給紙カセット２１ａ、２１ｂに収納された記録紙を画像形成位置まで搬送する各種ローラからなる給紙手段２２とを備えている。
【００５３】
また、画像読取部１３は、詳しくは後述するが、第１キャリッジ３５、第２キャリッジ３６を図１中、左右方向（副走査方向）に駆動して光源により原稿面に光を照射して原稿面を読取り、この読取光をミラーで反射した後、レンズユニット３７によってＣＣＤ等の画像読取センサに取り込むようになっている。
【００５４】
画像形成部１４は、レンズユニットに取り込まれた読取信号に基づいて書き込み信号を形成する露光装置２３と、露光装置２３によって生成された書き込み信号が表面に形成される複数の感光体ドラム２４と、異なる色のトナーが充填され、各感光体ドラム２４に異なる色のトナーを供給して書き込み信号を可視像化させる現像装置２５と、感光体ドラム２４上に形成された可視像が重ねられて転写されることによりカラー画像が形成され、このカラー画像を給紙部１２から給紙された記録紙に転写する転写ベルト２６と、記録紙に定着されたカラー画像を記録紙に定着する定着装置２７とを備えている。
【００５５】
図２、図３は画像読取部１３の構成を示す図である。なお、図２は画像読取部１３の各部品の位置関係を示す側面図である。また、図３は第２キャリッジ３６の駆動用の駆動ワイヤ３３と各プーリの関係を説明するための模式図であり。図３（ａ）は側面図、図３（ｂ）は駆動ワイヤ３３の連結状態を上から見た状態で示す図である。
【００５６】
図２、図３において、画像読取装置１３は本体フレーム３１、駆動軸３２、駆動ワイヤ３３、ワイヤ駆動プーリ３４、第１キャリッジ３５、第２キャリッジ３６、レンズユニット３７、張力スプリング３９、キャリッジプーリ４０、アイドラプーリ４１、４２および撮像素子５７を備えている。
【００５７】
本体フレーム３１の内部には図示しない第１レールと第２レールが設けられており、第１レールには走行体としての第１キャリッジ３５が摺動自在に取付けられているとともに、第２レールには第２キャリッジ３６が摺動自在に取付けられている。
【００５８】
駆動軸３２は図示しないモータに連結されており、この駆動軸の両端部にはワイヤ駆動プーリ３４が取付けられている。このワイヤ駆動プーリ３４には駆動ワイヤ３３が巻回されており、この駆動ワイヤ３３は所定方向である図３中、左右方向に延在している。
【００５９】
駆動ワイヤ３３は第１キャリッジ３５の駆動用と第２キャリッジ３６の駆動用の２本が用いられるが、図３では第２キャリッジ３６の駆動用の駆動ワイヤ３３を図示している。
【００６０】
なお、駆動ワイヤ３３およびアイドラプーリ４１、４２は本体フレーム３１の前後に１本ずつ設けられているが、何れも同じ構成および機能を有するので、片側の駆動ワイヤ３３、アイドラプーリ４１、４２について説明をする。すなわち、本実施の形態では、ワイヤ３３が２本、アイドラプーリ４１、４２が本体フレーム３１の四隅に４個設けられている。
また、第２キャリッジ３６にはキャリッジプーリ４０が設けられており、駆動ワイヤ３３はキャリッジプーリ４０やアイドラプーリ４１、４２を経由するようになっている。
【００６１】
図４、図５に示すように第１キャリッジ３５には発光素子としての複数の発光ダイオード４３を備えた平板状の回路基板５１が設けられており、この発光ダイオード４３および回路基板５１は光照射手段５０を構成している。なお、本実施の形態の発光ダイオード４３は回路基板５１の実装平面方向に発光するサイドビュータイプである。
【００６２】
この発光ダイオード４３は主走査方向に沿って複数個設けられており、回路基板５１は発光ダイオード４３の発光制御を行うようになっている。この回路基板５１はネジ５８によって支持手段としての支持部材５２に固定されており、支持部材５２は断面略Ｖ字状に形成され、図示しないネジによって第１キャリッジ３５のベース部３５ａに取付けられている。
【００６３】
本実施の形態の支持部材５２は板金やアルミニウム等の金属から構成されており、この支持部材５２は１枚の薄板を略コの字形状に折り曲げるプレス成形、あるいはダイキャスト等によって成形されている。また、回路基板５１はガラスエポキシから構成されており、回路基板５１よりも支持部材５２の熱伝導率が高くなっている。
【００６４】
また、第１キャリッジ３５の下ガイド板３５ｂにはミラー部材としての第１ミラー４４ａが搭載されており、発光ダイオード４３から原稿に照射され、原稿から反射される光はベース部３５ａに形成された開口部３５ｃを通して第１ミラー４４ａに入射される。
【００６５】
また、第１キャリッジ３５はワイヤ駆動プーリ３４と第２キャリッジ３６の間に配置され、第１キャリッジ３５が駆動ワイヤ３３に引かれて所定の速度Ｖで走行すると、光照射手段５０がコンタクトガラス１５に載置された原稿を副走査する。
【００６６】
発光ダイオード４３から原稿に照射されたときに原稿の反射光束は、第１ミラー４４ａによって第２キャリッジ３６に向けて折り返されるようになっており、この反射光束は第２キャリッジ３６に搭載された第２ミラー４４ｂおよび第３ミラー４４ｃによってさらに折り返された後、レンズユニット３７に入射される。
【００６７】
そして、この反射光束はレンズユニット３７に含まれる結像レンズによって焦点面に置かれたＣＣＤ等の撮像素子５７に集光結像される。これにより、撮像素子５７は発光ダイオード４３に沿った原稿上のラインを主走査する。
【００６８】
また、第２キャリッジ３６は、第２ミラー４４ｂおよび第３ミラー４４ｃによる光束の折り返しに伴う光路の重複分を相殺するため、第１キャリッジ３５の半分の速度、すなわちＶ／２の速度で第１キャリッジ３５と同方向に走行するようになっており、第２キャリッジ３６は第１キャリッジ３５の走行距離Ｌの半分の走行距離（Ｌ／２）で走行する。
【００６９】
この走行速度の関係により、第１キャリッジ３５および第２キャリッジ３６の走行があっても、原稿面からレンズユニット３７までの光束の光路長が変化しないようになっている。
【００７０】
一方、駆動ワイヤ３３は、ワイヤ駆動プーリ３４に巻き付けられて左方向および右方向に延びる２つの系統がある。左方向に延びる駆動ワイヤの部分３３ａは、軸が本体フレーム３１に固定されたアイドラプーリ４１によって折り返されて部分３３ｂとなり、外側キャリッジプーリ４０ｂに至り、再びここで折り返されて部分３３ｃとなって端部がアイドラプーリ４１を固定される。
【００７１】
また、右向に延びる駆動ワイヤ３３の部分３３ｄは、本体フレーム３１に固定されたアイドラプーリ４２によって折り返されて部分３３ｅとなって内側キャリッジプーリ４０ａに至り、再びここで折り返されて部分３３ｆとなってばね部材としての張力スプリング３９を介してアイドラプーリ４２に固定される。
【００７２】
また、図２中、左側には図示しないホームポジションセンサが設けられており、第１キャリッジ３５が図２中、左側に走行してホームポジションセンサを通過して駆動軸３２を駆動するモータが所定パルスだけ駆動されると、モータを停止させるようになっている。
【００７３】
このとき、駆動軸３２を介してワイヤ駆動プーリ３４を停止させる。この位置が第１キャリッジ３５のホームポジション位置となり、原稿の読取りが終了したときには第１キャリッジ３５は常にホームポジション位置に走行してこの位置から再び走行が開始されることになる。
本実施の形態では、第１キャリッジ３５、モータ、駆動軸３２、駆動ワイヤ３３、ワイヤ駆動プーリ３４、キャリッジプーリ４０およびアイドラプーリ４１、４２が走行手段を構成している。
【００７４】
また、本実施の形態の第１キャリッジ３５および第２キャリッジ３６は、発光ダイオード４３から原稿に光を照射して原稿を走査する場合に、図１中、右側の走査方向に走行し、ホームポジション位置に復帰する場合には、図１中、左側のリターン方向に走行する。
そして、リターン方向に走行する場合には、原稿の読取速度の影響を受けないので、原稿の生産性を上げるために、高速度で走行する。
【００７５】
一方、第１キャリッジ３５にはガイド部材５３が取付けられており、このガイド部材５３は光照射手段５０および支持部材５２に対してリターン側の副走査方向に対向している。また、ガイド部材５３の上部には折り曲げ部５３ａが形成されており、この折り曲げ部５３ａはリターン側の副走査方向に折り曲げられている。また、ガイド部材５３には貫通孔５３ｂが形成されており、この貫通孔５３ｂは発光ダイオード４３と略同一高さで開口している。
【００７６】
また、本実施の形態の第１キャリッジ３５、ガイド部材５３および下ガイド板３５ｂはモールド樹脂で一体成形されている。
【００７７】
このような構成を有する複写機１０にあっては、第１キャリッジ３５および第２キャリッジ３６を主走査方向に走行させることにより、発光ダイオード４３から原稿面に光を照射する。
【００７８】
原稿の反射光束は第１ミラー４４ａ、第２ミラー４４ｂおよび第３ミラー４４ｃの順に折り返された後、レンズユニット３７に入射され、レンズユニット３７の結像レンズによって焦点面に置かれた撮像素子５７に集光結像される。これにより、撮像素子５７は発光ダイオード４３に沿った原稿上のラインを主走査方向および副走査方向に走査する。
【００７９】
また、原稿の読取りが終了すると、第１キャリッジ３５および第２キャリッジ３６をリターン方向に走行させてホームポジション位置に走行させる。原稿の読取り時には、熱源である発光ダイオード４３が高温となり、発光ダイオード４３の熱が回路基板５１を介して支持部材５２に伝達してしまうため、支持部材５２を放熱することにより、発光ダイオード４３を冷却する必要がある。
【００８０】
本実施の形態では、光照射手段５０に対してリターン側の副走査方向に対向するようにガイド部材５３を設け、このガイド部材５３にリターン側の副走査方向に折り曲げられた折り曲げ部５３ａを形成したので、第１キャリッジ３５がリターン方向に走行したときに、空気をガイド部材５３で集めることができる。
【００８１】
また、ガイド部材５３に発光ダイオード４３と略同一高さで開口する貫通孔５３ｂを形成したため、ガイド部材５３が集めた空気を貫通孔５３ｂを通して発光ダイオード４３に導くことができる。
【００８２】
このため、簡単な構成によって発光ダイオード４３を効率良く放熱することができ、複写機１０の製造コストや重量が増大するのを防止しつつ発光ダイオード４３の温度が上昇するのを抑制することができる。
【００８３】
また、発光ダイオード４３の温度が上昇するのを抑制することができるので、発光ダイオード４３の発熱による照度の低下や色度の変化を抑制することができ、画像の読取性能を向上させることができる。
【００８４】
なお、本実施の形態では、貫通孔５３ｂを発光ダイオード４３と略同一高さで開口しているが、図６に示すように、発光ダイオード４３の下方の支持部材５２に対向する位置に貫通孔５３ｃを設けても良い。
【００８５】
このようにすれば、第１キャリッジ３５の走行時に、ガイド部材５３によって支持部材５２に空気を導くことができ、光照射手段５０から支持部材５２に伝達された熱を支持部材５２から効率良く放熱することができ、発光ダイオード４３の温度が上昇するのを抑制することができる。
【００８６】
また、回路基板５１よりも支持部材５２の熱伝導率が高い材料を用いているため、ガイド部材５３によって発光ダイオード４３に空気を導いたときに回路基板５１から支持部材５２に伝達された大量の熱も効率良く放熱することができ、発光ダイオード４３をより効率的に冷却することができる。
【００８７】
図７は本発明に係る画像読取装置および画像読取装置を備えた画像形成装置の第２の実施の形態を示す図であり、第１の実施の形態と同様の構成には同一番号を付して説明を省略する。
【００８８】
図７に示すように、第１キャリッジ３５には光照射手段を構成するカバー部材６１が設けられており、このカバー部材６１は発光ダイオード４３の一部を覆って発光ダイオード４３の散乱を防止する機能を有している。
【００８９】
また、カバー部材６１は、発光ダイオード４３を覆う面が第１キャリッジ３５の走行速度が速いリターン方向に対向しており、ガイド部材５３の貫通孔５３ｂはカバー部材６１および発光ダイオード４３と略同一の高さで開口している。
【００９０】
本実施の形態では、第１キャリッジ３５がリターン方向に走行したときに、空気をガイド部材５３で集め、ガイド部材５３が集めた空気を貫通孔５３ｂを通して発光ダイオード４３およびカバー部材６１に導くことができる。
【００９１】
また、カバー部材６１は発光ダイオード４３を覆う面が第１キャリッジ３５の走行速度が速いリターン方向に対向しているため、ガイド部材５３からカバー部材６１に導かれた空気を発光ダイオード４３に導くことができる。
【００９２】
したがって、簡単な構成によって発光ダイオード４３からカバー部材６１に伝達された熱をカバー部材６１から放熱することができるとともに、発光ダイオード４３自体も効率良く放熱することができ、発光ダイオード４３の温度が上昇するのを抑制することができる。
【００９３】
また、発光ダイオード４３の温度が上昇するのをより一層抑制することができるので、発光ダイオード４３の発熱による照度の低下や色度の変化をより一層抑制することができ、画像の読取性能をより一層向上させることができる。
【００９４】
図８〜図１０は本発明に係る画像読取装置および画像読取装置を備えた画像形成装置の第３の実施の形態を示す図であり、第１の実施の形態と同様の構成には同一番号を付して説明を省略する。
【００９５】
本実施の形態では、専用のガイド部材を廃止してリフレクタをガイド部材として用いた点に特徴がある。図８において、光照射手段５０に対してリターン側の副走査方向に対向するようにリフレクタ（反射手段）６２が設けられており、このリフレクタ６２の上部は発光ダイオード４３から照射された光をコンタクトガラス１５に原稿に導くことができるように、リターン側の副走行方向に折り曲げられた折り曲げ部６２ａが形成されている。
【００９６】
したがって、発光素子４３からの照射光が折り曲げ部６２ａによって原稿面に反射されるので、切り貼り原稿を読み取った際に、原稿の段差によって発生する影を無くすことができる。
【００９７】
また、リフレクタ６２には発光ダイオード４３と略同一高さで開口する貫通孔６２ｂが形成されており、第１キャリッジ３５がリターン方向に走行したときに、リフレクタ６２で集められた空気が貫通孔６２ｂを通して発光ダイオード４３に導かれるようになっている。
【００９８】
なお、本実施の形態では、図９に示すように、貫通孔６２ｂをリフレクタ６２の主走査方向に沿って複数個形成することにより、リフレクタ６２の主走査方向の曲げ強度が低下しないようにすることが好ましい。
【００９９】
このように本実施の形態では、リフレクタ６２を、第１キャリッジ３５の走行時に発光ダイオード４３に空気を導くガイド部材として利用したので、簡単な構成によって発光ダイオード４３を効率良く放熱することができ、発光ダイオード４３の温度が上昇するのを抑制することができる。
【０１００】
また、リフレクタ６２をガイド部材として利用したので、専用のガイド部材を設けるのを不要にでき、複写機１０の製造コストをより一層低減することができる。
【０１０１】
なお、本実施の形態では、リフレクタ６２によって発光ダイオード４３に空気を導いているが、第２の実施の形態と同様に、貫通孔６２ｂの高さをカバー部材６１や支持部材５２と同一の高さにすることにより、カバー部材６１や支持部材５２を放熱するようにしても良い。
【０１０２】
また、図１０に示すように、リターン側の副走行方向に折り曲げられた折り曲げ部６３ａが形成されたリフレクタ６３を設け、このリフレクタ６３の貫通孔６３ｂの下部をリターン方向側に折り曲げて折り曲げ部６３ｃを形成しても良い。
【０１０３】
このようにすれは、第１キャリッジ３５がリターン方向に走行したときに、折り曲げ部６３ｃによって貫通孔６３ｂに空気を導くようにすれば、発光ダイオード４３により効率良く空気を導くことができる。
【０１０４】
図１１は本発明に係る画像読取装置および画像読取装置を備えた画像形成装置の第４の実施の形態を示す図であり、第１の実施の形態と同様の構成には同一番号を付して説明を省略する。
【０１０５】
本実施の形態では、図１１に示すように、支持部材５２の内部に主走査方向に沿って分割された溝部５２ａを形成してこの溝部５２ａをガイド部材として機能させ、第１キャリッジ３５の走行時に、溝部５２ａに空気を導くことにより、支持部材５２を放熱することにより、発光ダイオード４３の温度が上昇するのを抑制するようにしたものである。
【０１０６】
また、リフレクタ６２、６３の貫通孔６２ｂ、６３ｂを無くしてリフレクタをガイド部材として機能させずに、リフレクタ６０として機能させるようにしても良い。この場合に、第１キャリッジ３５がリターン方向に走行してときに、リフレクタ６０の折り曲げ部６０ａおよびベース部３５ａの開口部３５ｃを通して溝部５２ａに空気を導くことができる。
【０１０７】
図１２は本発明に係る画像読取装置および画像読取装置を備えた画像形成装置の第５の実施の形態を示す図であり、第１の実施の形態と同様の構成には同一番号を付して説明を省略する。
【０１０８】
本実施の形態では、光照射手段５０に対向する位置にガイド部材を設ける代わりに、  支持部材５２に延出部５２ｂを設けたものである。この延出部５２ｂは発光ダイオード４３の真下の支持部材５２の上部からリターン方向に向かって傾斜しており、第１キャリッジ３５がリターン方向に走行したときに、発光ダイオード４３には延出部５２ｂを通して発光ダイオード４３に空気が導かれるようになっている。
【０１０９】
このように本実施の形態では、支持部材５２に、発光ダイオード４３に空気を導くガイド部材としての延出部５２ｂを設けたので、第１キャリッジ３５の走行時に、延出部５２ｂによって発光ダイオード４３に空気を導くことができ、発光ダイオード４３を冷却することができる。
【０１１０】
図１３〜図１６は本発明に係る画像読取装置および画像読取装置を備えた画像形成装置の第６の実施の形態を示す図であり、第１の実施の形態と同様の構成には同一番号を付して説明を省略する。
【０１１１】
本実施の形態は、第１ミラー４４ａをガイド部材として利用したことを特徴とするものである。図１３において、下ガイド板３５ｂに取付けられた第１ミラー４４ａは第２ミラー４４ｂに反射光束を折り返すように、所定角度（約４５度）傾斜しており、この第１ミラー４４ａの傾斜方向上端部は第１キャリッジ３５のベース部３５ａを介して支持部材７１の下端部に当接している。このため、第１キャリッジ３５がリターン方向に走行するとき、第１ミラー４４ａを通して支持部材５１および発光ダイオード４３に空気が導かれる。
【０１１２】
本実施の形態では、第１キャリッジ３５の走行時に、第１ミラー４４ａによって発光ダイオード４３および支持部材７１に空気を導くことができ、発光ダイオード４３を冷却することができる。
【０１１３】
また、第１ミラー４４ａの傾斜方向上端部を、ベース部３５ａを介して支持部材７１の下端部に当接させたので、第１キャリッジ３５の走行時の風損を無くすことができ、空気を光照射手段５０に効率良く導くことができる。
【０１１４】
なお、図１４に示すように、光照射手段５０に支持部材７１に対して副走査方向に補助ガイド部材６３を設け、光照射手段５０および支持部材７１と補助ガイド部材６３とによって第１ミラー４４ａから発光ダイオード４３や支持部材７１に導かれる空気の通路を形成するようにしても良い。
【０１１５】
このようにすれば、第１ミラー４４ａから発光ダイオード４３や支持部材７１に空気を効率良く導くことができる。このため、発光ダイオード４３を効率良く冷却することができるとともに、支持部材７１を効率良く放熱することができ、発光ダイオード４３の温度が上昇するのを抑制することができる。
【０１１６】
なお、第１キャリッジ３５の走行時に風損を無くして第１ミラー４４ａから発光ダイオード４３および支持部材７１に空気を導くために、図１５に示すように、ミラー部材の副走査方向の上端部を、発光ダイオード４３に対して、第１キャリッジ３５を読取側に走行する方向（図１中右側）に設けても良い。
【０１１７】
また、図１６に示すように、補助ガイド部材をリフレクタ６７から構成するようにしても良い。この場合、発光ダイオード４３からの照射光を反射する折り曲げ部６７ａをリフレクタ６７の上方に設ければ良い。
【０１１８】
図１７〜図１９は本発明に係る画像読取装置および画像読取装置を備えた画像形成装置の第７の実施の形態を示す図であり、第１の実施の形態と同様の構成には同一番号を付して説明を省略する。
【０１１９】
図１７、図１８に示すように、支持部材７２の底部には主走査方向に沿って第１ミラー４４ａ側に開口する複数の開口部７２ａが形成されており、第１ミラー４４ａの傾斜方向上端部は支持部材７２の下端部に当接している。
【０１２０】
したがって、第１キャリッジ３５がリターン方向に走行するときに、第１ミラー４４ａを通して開口部７２ａに空気を導くことができるで、光照射手段５０から支持部材７２に伝達した熱を効率良く放熱することができ、発光ダイオード４３の温度が上昇するのを抑制することができる。
【０１２１】
また、発光ダイオード４３および支持部材７２の副走査方向のリターン側にリフレクタ６０を設けることにより、リフレクタとしての機能に加えて、光照射手段５０および支持部材７２とリフレクタ６０とによって第１ミラー４４ａから開口部７２ａに導かれる空気の通路を形成するようにしても良い。
【０１２２】
なお、第１キャリッジ３５の走行時の風損を無くすために、第１ミラー４４ａの傾斜方向上端部は支持部材７２の下端部に当接させる代わりに、図１９に示すように、ベース部３５ａから第１ミラー４４ａに延出する延出部６５を設けるようにしても良い。
【０１２３】
なお、上記各実施の形態では、発光ダイオード４３を回路基板５１上に搭載しているが、図２０に示すように、回路基板５１に切欠き部６６を形成し、発光ダイオード４３の一部を切欠き部６６上に載置しても良い。
【０１２４】
このようにすれば、ガイド部材から光照射手段５０に導かれた空気を、切欠き部６６を通して発光ダイオード４３に導くことができるので、発光ダイオード４３を効率良く冷却することができ、発光ダイオード４３の温度が上昇するのをより一層抑制することができる。
なお、上記各実施の形態では、発光素子として発光ダイオードを用いているが、ＥＬ（Electronic Luminescent）を用いても良い。
【産業上の利用可能性】
【０１２５】
以上のように、本発明に係る画像読取装置および画像形成装置は、簡単な構成で発光素子を効率良く放熱して、製造コストや重量が増大するのを防止しつつ発光素子の温度上昇を抑制することができ、高精度な読取りを行うことができるという効果を有し、原稿を読取るために原稿に光を照射する発光素子を備えたスキャナ装置等の画像読取装置およびこの画像読取装置を備えたファクシミリ装置、複写機、複合機等の画像形成装置等として有用である。
【図面の簡単な説明】
【０１２６】
【図１】本発明の第１の実施の形態に係る画像形成装置の概略構成図
【図２】本発明の第１の実施の形態に係る画像読取装置の各部品の位置関係を示す側面図
【図３】（ａ）は本発明の第１の実施の形態に係る画像読取装置の概略正面図、（ｂ）は画像読取装置の概略斜視図
【図４】本発明の第１の実施の形態に係る画像読取装置の光照射手段および支持部材の斜視図
【図５】図４のＡ−Ａ矢視断面図
【図６】本発明の第１の実施の形態に係る画像読取装置の光照射手段および支持部材とその周囲の他の構成を示す断面図
【図７】本発明の第２の実施の形態に係る画像形成装置の光照射手段および支持部材とその周囲の構成を示す断面図
【図８】本発明の第３の実施の形態に係る画像形成装置の光照射手段および支持部材とその周囲の他の構成を示す断面図
【図９】本発明の第３の実施の形態に係る画像形成装置のリフレクタ斜視図
【図１０】本発明の第３の実施の形態に係る画像形成装置の光照射手段および支持部材とその周囲の構成を示す断面図
【図１１】本発明の第４の実施の形態に係る画像形成装置の光照射手段および支持部材とその周囲の構成を示す断面図
【図１２】本発明の第５の実施の形態に係る画像形成装置の光照射手段および支持部材とその周囲の構成を示す断面図
【図１３】本発明の第６の実施の形態に係る画像形成装置の光照射手段および支持部材とその周囲の構成を示す断面図
【図１４】本発明の第６の実施の形態に係る画像形成装置の光照射手段および支持部材とその周囲の他の構成を示す断面図
【図１５】本発明の第６の実施の形態に係る画像形成装置の光照射手段および支持部材とその周囲の他の構成を示す断面図
【図１６】本発明の第６の実施の形態に係る画像形成装置の光照射手段および支持部材とその周囲の他の構成を示す断面図
【図１７】本発明の第７の実施の形態に係る画像形成装置の光照射手段および支持部材とその周囲の構成を示す断面図
【図１８】本発明の第７の実施の形態に係る画像形成装置の支持部材および光照射手段を背面側から見たときの斜視図
【図１９】本発明の第７の実施の形態に係る画像形成装置の光照射手段および支持部材とその周囲の他の構成を示す断面図
【図２０】本発明の第１〜第７の実施の形態に係る画像形成装置の光照射手段の要部斜視図
【図２１】従来の画像読取装置の概略構成図
【図２２】従来の光源とその周囲の概略構成図
【符号の説明】
【０１２７】
１０  複写機（画像形成装置）
１３  画像読取部（画像読取装置）
１４  画像形成部（画像形成手段）
３２  駆動軸（走行手段）
３３  駆動ワイヤ（走行手段）
３４  ワイヤ駆動プーリ（走行手段）
３５  第１キャリッジ（走行体）
４０  キャリッジプーリ（走行手段）
４１、４２  アイドラプーリ（走行手段）
４３  発光ダイオード（発光素子）
４４ａ  第１ミラー（ミラー部材）
５０  光照射手段
５１  回路基板
５２、７１、７２  支持部材
５２ａ  溝部
５２ｂ  延出部
５３  ガイド部材
５３ｂ、５３ｃ  貫通孔
６１  カバー部材
６２、６３  リフレクタ（反射手段）
６２ｂ、６３ｂ  貫通孔
６３  補助ガイド部材
６５  延出部
６６  切欠き部
６７  リフレクタ（補助ガイド部材）
７２ａ  開口部
【図１】
0004754409.tif 000002
【図２】
0004754409.tif 000003
【図３】
0004754409.tif 000004
【図４】
0004754409.tif 000005
【図５】
0004754409.tif 000006
【図６】
0004754409.tif 000007
【図７】
0004754409.tif 000008
【図８】
0004754409.tif 000009
【図９】
0004754409.tif 000010
【図１０】
0004754409.tif 000011
【図１１】
0004754409.tif 000012
【図１２】
0004754409.tif 000013
【図１３】
0004754409.tif 000014
【図１４】
0004754409.tif 000015
【図１５】
0004754409.tif 000016
【図１６】
0004754409.tif 000017
【図１７】
0004754409.tif 000018
【図１８】
0004754409.tif 000019
【図１９】
0004754409.tif 000020
【図２０】
0004754409.tif 000021
【図２１】
0004754409.tif 000022
【図２２】
0004754409.tif 000023